(57)【要約】【課題】消費電力をできる限り抑えるとともにその操作性も満足できる音声認識リモコンを提供することである。【解決手段】制御対象に送信するリモコンコード群の一部に対応づけられた制御データを音声入力に基づいて生成する音声認識モジュール２と、制御対象に送信する前記リモコンコード群の残りの部分に対応づけられた制御データをキー入力に基づいて生成するリモコン制御モジュール３とから構成されるとともに、前記音声認識モジュールは音声認識を行わない時には省電力状態に維持される音声認識リモコン１。【選択図】図２
2004096520.tif 000002
【特許請求の範囲】
【請求項１】
制御対象に送信するリモコンコード群の一部に対応づけられた制御データを音声入力に基づいて生成する音声認識モジュールと、制御対象に送信する前記リモコンコード群の残りの部分に対応づけられた制御データをキー入力に基づいて生成するリモコン制御モジュールとから構成されるとともに、前記音声認識モジュールは音声認識を行わない時には省電力状態に維持されることを特徴とする音声認識リモコン。
【請求項２】
前記音声認識モジュールは音声入力を受け入れる動作モードと音声入力を受け入れない休止モードを備えており、特定のキー入力に基づいて前記リモコン制御モジュールから送られるアクティブ化信号によって休止モードから動作モードに切り替わることを特徴とする請求項１に記載の音声認識リモコン。
【請求項３】
前記音声認識モジュールの動作モードは入力音声信号を高サンプリングレートで処理する高動作モードと入力音声信号を低サンプリングレートで処理する低動作モードからなり、入力音声信号の変化が少ない場合低動作モードに、入力音声信号の変化が大きい場合高動作モードに自動的に切り換えられることを特徴とする請求項２に記載の音声認識リモコン。
【請求項４】
前記リモコン制御モジュールの動作状態から独立して作用する音声認識起動スイッチが設けられており、この音声認識起動スイッチの操作によって前記音声認識モジュールは休止モードから動作モードに切り替わることを特徴とする請求項２又は３に記載の音声認識リモコン。
【請求項５】
前記リモコン制御モジュールは省電力駆動モードを備えており、前記音声認識モジュールから送られるウエイクアップ信号によって省電力駆動モードが解消されることを特徴とする請求項１〜４のいずれかに記載の音声認識リモコン。
【請求項６】
入力された音声信号が適切に音声認識されると認識報知のための認識報知信号が生成され、この認識報知信号が前記ウエイクアップ信号として利用されることを特徴とする請求項５に記載の音声認識リモコン。
【請求項７】
音声入力に基づいて制御データを生成する音声認識モジュールと、前記制御データに対応するリモコンコードを制御対象に送信するリモコン制御モジュールとから構成され、前記音声認識モジュールは音声入力を受け入れる動作モードと音声入力を受け入れない休止モードを備えているとともに前記リモコン制御モジュールの動作状態から独立して作用する音声認識起動スイッチの操作によって前記音声認識モジュールは休止モードから動作モードに切り替わり、前記リモコン制御モジュールは省電力駆動モードを備えているとともに前記音声認識モジュールから送られるウエイクアップ信号によって省電力駆動モードが解消されることを特徴とする音声認識リモコン。
【請求項８】
前記リモコン制御モジュールは特定のキー入力に基づいて前記音声認識モジュールを休止モードから動作モードに切り替えるアクティブ化信号を前記音声認識モジュールに送ることを特徴とする請求項７に記載の音声認識リモコン。
【請求項９】
前記音声認識モジュールにおけるリモコン操作音声信号のための音声認識処理の開始タイミングとして機能する特定の言葉でなるスタートワードが定義されており、このスタートワードのみが他の言葉より高い確度で認識されるように前記音声認識モジュールが構成されていることを特徴とする請求項１〜８のいずれかに記載の音声認識リモコン。
【請求項１０】
前記音声認識モジュールは駆動モードに応じて変更される基準入力音声レベルを設定しており、この基準入力音声レベル以上の入力音声信号だけを音声認識処理することを特徴とする請求項１〜８のいずれかに記載の音声認識リモコン。
【発明の詳細な説明】
【０００１】
【発明の属する技術分野】
本発明は、音声入力によって操作可能な音声認識リモコンに関する。
【０００２】
【従来の技術】
テレビやビデオなどの家電製品や電子玩具などの電気機器を制御対象として無線で遠隔操作するリモコンは、その制御対象の機能が多様化するにしたがって多くの操作キーが用意されることとなり、その操作の煩わしさは無視できなくなったことから、音声によって操作を指令できる音声認識リモコンが注目されている。
【０００３】
しかしながら、音声認識処理は複雑かつ高速なデジタル処理を伴うものであり、電力消費が大きく、電池駆動が必須となるリモコンでの重大な問題点となっている。この問題点を解消するため、従来の音声認識リモコンの１つでは、入力ボタンを押している間だけ音声認識処理のために電力を供給することや、所定レベルの音声信号が入力されると一定時間だけリモコン制御処理のために電力を供給することで電源電池の消費量を低減している（例えば、特許文献１参照。）。また、別の従来の低電力消費型の音声認識リモコンでは、スタートスイッチを押すと所定の時間だけリモコン制御処理のために電力が供給される（例えば、特許文献２参照。）。いずれにしても、リモコン操作を全て音声入力によって行うためには、消費電力が大きくなる高レベルの音声認識処理が必要であり、小さな電池で十分な動作時間を確保することは難しく、よりきめの細かい省電力対策が期待されている。
【０００４】
キー入力操作型のリモコン機能はそのままで、さらに音声入力操作機能を付加した音声認識リモコンも提案されている（例えば、特許文献３参照。）。好きな入力操作方式を選択できることから操作の種別に応じて操作方式を選べるといったリモコン操作上のメリットはあるが、音声入力操作を主に使う場合、上述した消費電力の問題から、多くの大容量電池の収容ないしは頻繁な電池の交換が必要となる。
【０００５】
さらに別な従来のリモコンでは、キー入力操作機能と音声入力操作機能の両方を備えているが、音声認識処理部を制御対象側に持たせることでリモコンの消費電力の問題を解決しようとしている（例えば、特許文献４参照。）。しかしながら、リモコン側ではマイクを通じて入力された音声信号を制御対象に送信する回路が必要であり、制御対象側では音声認識処理部を設けることによって操作制御回路が複雑となる問題が残る。特に、１つのリモコンで複数台の制御対象を制御可能とすることでリモコンの数を減らそうとする技術的な流れにおいては、各制御対象にリモコンの一部の機能を持たせることは省資源の観点から避けるべきである。
【０００６】
【特許文献１】
特開平０８ー１１５０９６号公報（第４−５頁、第５図と第６図）
【特許文献２】
特開２００１−３１８６８９号公報（第５頁、第７図）
【特許文献３】
特開平１１ー２４９６８７号公報（第２頁、第２図）
【特許文献４】
特開２０００−０７４４６５号公報（第６−７頁、第４図と第８図）
【０００７】
【発明が解決しようとする課題】
上記実状に鑑み、本発明の課題は、消費電力をできる限り抑えるとともにその操作性も満足できる音声認識リモコンを提供することである。
【０００８】
【課題を解決するための手段】
上記課題を解決するため、本発明による音声認識リモコンでは、制御対象に送信するリモコンコード群の一部に対応づけられた制御データを音声入力に基づいて生成する音声認識モジュールと、制御対象に送信する前記リモコンコード群の残りの部分に対応づけられた制御データをキー入力に基づいて生成するリモコン制御モジュールとから構成されるとともに、前記音声認識モジュールは音声認識を行わない時には省電力状態に維持される。
【０００９】
この構成では、制御対象の制御するためのコマンドを音声入力操作に適したものとキー入力操作に適したものを分けることにより、リモコン上に配置される操作キーや操作ボタンの数を少なくして、リモコンの大形化を回避するとともに、音声入力操作に向いたコマンドだけを生成するための音声認識モジュールが無駄に電力を消費することを避けるために、音声認識モジュールは音声認識を行わない時には省電力モードに設定される。さらに、音声認識モジュールとリモコン制御モジュールを独立させていることから、省電力対策を各モジュール別にきめ細かく行うことが可能となる。
【００１０】
上述したような各モジュール別のきめ細かい省電力対策の具体的な実施形態の１つでは、前記音声認識モジュールは音声入力を受け入れる動作モードと音声入力を受け入れない休止モードを備えており、特定のキー入力に基づいて前記リモコン制御モジュールから送られるアクティブ化信号によって休止モードから動作モードに切り替わる。この休止モードにおいて音声認識モジュールは実質的に動作停止状態となるので、消費電流は数マイクロアンペア程度である。従って、音声入力操作とキー入力操作とが組み合わされたこのリモコンの平均消費電力は従来の音声認識操作専用のリモコンに比べて非常に低いものである。
【００１１】
さらに、本発明の好適な実施形態では、前記音声認識モジュールの動作モードは入力音声信号を高サンプリングレートで処理する高動作モードと入力音声信号を低サンプリングレートで処理する低動作モードからなり、入力音声信号の変化が少ない場合低動作モードに、入力音声信号の変化が大きい場合高動作モードに自動的に切り換えられる。このように音声認識モジュールの動作モードをさらに高動作モードと低動作モードの２つのモードにわけることにより、よりきめの細かい省電力対策を可能にしている。
【００１２】
本発明のさらに別な好適な実施形態では、前記リモコン制御モジュールの動作状態から独立して作用する音声認識起動スイッチが設けられており、この音声認識起動スイッチの操作によって前記音声認識モジュールは休止モードから動作モードに切り替わる。この構成では、音声認識モジュールをスイッチ操作により強制的に動作モードに切り替えることで、音声の常時受付を可能にし、完全なハンズフリー操作を実現している。ハンズフリー操作が必須となる高齢者やキー入力操作が困難な人にとって便利な機能である。その際の高い消費電力の問題は、頻繁な音声認識起動スイッチの切り替え、あるいは充電機能と充電台の組み合わせで実用的に対処することができる。
【００１３】
よりきめの細かい省電力対策としては、リモコン制御モジュール側の消費電力も考慮する必要がある。このため、本発明の好適な実施形態の１つでは、前記リモコン制御モジュールは省電力駆動モードを備えており、前記音声認識モジュールから送られるウエイクアップ信号によって省電力駆動モードが解消される。もちろん、技術的にはよく知られている、キーマトリックスのどれかのキーを押すことでリモコン制御モジュールをウエイクアップさせる機能をも備えておくことは好都合である。このウエイクアップ信号の具体的な実施形態の１つとして、入力された音声信号が適切に音声認識されると認識報知のために生成される認識報知信号が前記ウエイクアップ信号として利用されることが提案される。音声入力操作において、入力された音声が音声認識モジュールによって正しく認識された時に初めてリモコン制御モジュールを正常な動作モードに移行させることにより、消費電力の低減を図っている。
【００１４】
本発明による音声認識リモコンの重要な特徴である音声認識モジュールとリモコン制御部との独立的な省電力対策が可能となる分離構成を採用した場合、リモコンコードの生成に直接対応するようなキー入力操作を実質的に排除した音声認識リモコンも実用レベルの使用に耐えることができる消費電力の条件で提供可能となる。そのような本発明による音声認識リモコンは、音声入力に基づいて制御データを生成する音声認識モジュールと、前記制御データに対応するリモコンコードを制御対象に送信するリモコン制御モジュールとから構成され、前記音声認識モジュールは音声入力を受け入れる動作モードと音声入力を受け入れない休止モードを備えているとともに前記リモコン制御モジュールの動作状態から独立して作用する音声認識起動スイッチの操作によって前記音声認識モジュールは休止モードから動作モードに切り替わり、前記リモコン制御モジュールは省電力駆動モードを備えているとともに前記音声認識モジュールから送られるウエイクアップ信号によって省電力駆動モードが解消されることを特徴としている。この構成では、使用条件に応じて、音声認識モジュールとリモコン制御モジュールのどちらか一方、もしくは両方を省電力モードに設定することで、消費電力の低減と操作性の維持の両立を図っている。
【００１５】
前記リモコン制御モジュール側からの信号によって前記音声認識モジュールを休止モードから動作モードに切り替えるための１つの具体例として、前記リモコン制御モジュールは特定のキー入力に基づいて前記音声認識モジュールを休止モードから動作モードに切り替えるアクティブ化信号を前記音声認識モジュールに送ることが提案される。このアクディブ化信号は、音声認識起動スイッチの操作によって前記音声認識モジュールに送られる休止モードから動作モードへの切り替え信号と同等なものとすると回路設計上好都合である。
【００１６】
音声認識モジュールにおける音声認識率を向上させるために、本発明による好適な実施形態の１つでは、前記音声認識モジュールにおけるリモコン操作音声信号のための音声認識処理の開始タイミングとして機能する特定の言葉でなるスタートワードが定義されており、このスタートワードのみが他の言葉より高い確度で認識させるように前記音声認識モジュールが構成されている。このようなスタートワードによるリモコン操作音声入力の音声認識処理のスタートタイミングの決定は、動作モードにおいて機能させると特に有効である。このスタートワードの採用は、単一の言葉を高い確度で認識するだけならばコストや消費電力の増加はそれほどともなわないという知見に基づいている。そのようなスタートワード以降に入力される音声信号はリモコン操作音声信号であるとみなすことができることからそれらの認識率は向上する。
【００１７】
また、特に休止モードにおいて音声認識モジュールにおける音声認識率を向上させるために、本発明による好適な実施形態の他の１つでは、前記音声認識モジュールは駆動モードに応じて変更される基準入力音声レベルを設定し、この基準入力音声レベル以上の入力音声信号だけを音声認識処理するように構成されている。この構成では、大きな声での音声によるリモコン操作入力だけが音声処理を受けることになるので、結果的に周囲の雑音とリモコン操作のための音声信号とのＳ／Ｎ比が向上し、リモコン操作音声信号の音声認識率が改善され、騒々しい環境下においていたずらに誤認識を繰り返すという問題を解決することができる。
本発明によるその他の特徴及び利点は、以下図面を用いた実施例の説明により明らかになるだろう。
【００１８】
【発明の実施の形態】
図１には本発明による音声認識リモコン１の一例の外観が示されており、図１にはその音声認識リモコン１のブロック構成図が示されている。この音声認識リモコン（以後、単にリモコンと称する）１は、音声認識モジュール２と、リモコン制御モジュール３と、キーマトリックス４と、マイク５と、スピーカ６と、音声認識モジュール３における音声認識処理状態を表示する音声認識状態表示ＬＥＤ７と、ユーザの操作入力に応じてリモコン制御モジュール３で生成されたリモコンコードを制御対象としてのテレビやビデオに送信する赤外線ＬＥＤ８と、電源としての電池１０から構成されている。
【００１９】
音声認識モジュール２とリモコン制御モジュール３はそれぞれ独立して動作する省電力モードを備えている。特に、音声認識モジュール２は、音声認識を全く行わない休止モードと音声認識を行う動作モードを備え、さらにこの動作モードには、マイク５を通じて入力された入力音声信号を高サンプリングレートで処理する高動作モードと入力音声信号を低サンプリングレートで処理する低動作モードが含まれており、入力音声信号の変化が少ない場合低動作モードに、入力音声信号の変化が大きい場合高動作モードに自動的に切り換えられる。
【００２０】
図１から明らかなように、リモコン１は細長いドーム状であり、そのハウジング表面の前端には赤外線ＬＥＤ８が、前側領域にはマイク５と音声認識状態表示ＬＥＤ７が、後側領域にはスピーカ６が配置されている。リモコンハウジングの中間領域には、テレビ放送チャンネルを順次昇順で切り替える昇順チャンネルキー４１と、テレビ放送チャンネルを順次降順で切り替える降順チャンネルキー４２と、テレビ音量を大きくする音量アップキー４３と、テレビ音量を小さくする音量ダウンキー４４と、テレビ／ビデオ切り替えキー４５と、休止モードの音声認識モジュール２を約３０秒の間動作モードに切り替えるための音声認識キー４６が配置されている。これらのキーは、前述したキーマトリックス４で割り当てられている。
【００２１】
さらに、リモコンハウジングの一側面には音声認識起動スイッチとして機能する音声認識動作切替スイッチ９が配置されている。図２から明らかなように、音声認識動作切替スイッチ９はリモコン制御モジュール２の出力ポートと音声認識モジュール２の反転ＣＥ（チップイネーブル）ポートを接続するラインに介装された２位置スイッチであり、一方の接点は接地されている。音声認識動作切替スイッチ９が接地状態に切り替えられると音声認識モジュール２は動作（常時）モードとなり、前記出力ポートと反転ＣＥポートを接続する状態に切り替えられると音声認識モジュール２は休止（省電力）モードとなる。しかしながら、前記出力ポートと反転ＣＥポートを接続する状態において前述した音声認識キー４６が押し下げられると、約３０秒間だけ反転ＣＥポートが低レベルにセットされ、結果的に音声認識モジュール２は動作モードになり、音声認識モジュール２における音声認識が実行可能となる。この音声認識キー４６による音声認識モジュール２のアクティブ化のタイムチャートが図３に示されている。
【００２２】
リモコン制御モジュール３もそれ自体はよく知られた省電力モードを備えており、キーマトリックス４に何らかの操作入力が生じた場合、リモコン制御モジュール３がウエイクアップする。ここでは、リモコン制御モジュール３のためのもう１つのウエイクアップ方法が提供されており、それは、音声認識モジュール２からリモコン制御モジュール３に送信されるウエイクアップ信号である。
【００２３】
この実施形態では、制御対象に対する操作のためにマイク５を通じて入力されたユーザの音声信号が適切に音声認識モジュール２において音声認識されると認識報知のための認識報知信号が生成され、この認識報知信号が音声認識状態表示ＬＥＤ７を点灯させる。この認識報知信号は音声認識状態表示ＬＥＤ７を点滅させるパルス信号となっているが、その繰り返し周波数は人間によっては点灯していると視覚判断する程度に設定されており、常時点灯に比べて点灯消費電力の低減化を図っている。
【００２４】
この実施形態では、このパルス上の認識報知信号が音声認識モジュール２からリモコン制御モジュール３に送信されるウエイクアップ信号として利用されている。つまり、認識報知信号の立ち下がりのエッジによりリモコン制御モジュール３がウエイクアップし、ユーザによる音声操作に対応するデータ信号とシリアルクロックを音声認識モジュール２から受け取ることが可能な状態となる。このことを表すタイムチャートが図４に示されている。
【００２５】
図番１１は電源ＯＮ／ＯＦＦスイッチであり、このリモコンを長時間使用しない際にＯＦＦ位置に切り換えることにより、電池１１の長寿命化を図っている。
【００２６】
音声認識モジュール２は種々の機能を果たすように設計されているが、これらの機能はハードウエア又はソフトウエアあるいはその両方で実現されるものであり、特に本発明に関係する機能としては、図５に示すように、この音声認識モジュールを休止モードと高動作モードと低動作モードのいずれかのモードに設定管理する省電力モード決定部２１、マイク８から入力されたアナログ音声信号をサンプリングしてデジタル音声信号に変換する音声入力部２２と、予め登録された操作音声信号の音声パターンを記憶している登録音声パターン格納部２３、音声入力部２２で処理された音声信号と一致する音声パターンを登録音声パターン格納部２３にアクセスしながら照合するとともに合致した音声パターンに対応する制御コードを出力する音声データ照合部２４、音声データ照合部２４が入力音声信号のパターンマッチングに成功して該当音声信号を認識した際に認識報知信号を生成する認識報知信号生成部２５、音声データ照合部２４から出力された制御コードをリモコン制御モジュール３に転送する制御データ転送部２６が挙げられる。前述したように、認識報知信号生成部２５によって生成された認識報知信号は音声認識状態表示ＬＥＤ７に送られてこのＬＥＤ７を点灯させるとともに、ウエイクアップ信号としてリモコン制御モジュールにも送られる。
【００２７】
さらに、この音声認識モジュール２には、音声照合部２４でパターンマッチした音声パターンに対応するオーディオ信号をスピーカ駆動信号に変換してスピーカ６に送る音声出力部２７が備えられている。例えば、いわゆる「Ｇコード」を用いたビデオ録画設定を音声入力によって行う場合、ユーザはマイク５に向かって「Ｇコード５３２５３予約」を話し、この音声入力信号が音声認識されると、スピーカ６を通じて、「Ｇコード５３２５３予約送信します」あるいはＧコードをデコードして「８月１７日４チャンネル２１時から２２時までを録画予約します」と報知される。同時に、この特定Ｇコードを表す制御コードが制御データ転送部２６からリモコン制御モジュール３に転送される。これとは逆に、録画予約日時とチャンネルを音声入力して、音声照合部２４でＧコードに変換してもよい。
【００２８】
同様にリモコン制御モジュール３の種々の機能もハードウエア又はソフトウエアあるいはその両方で実現されるが、特に本発明に関係する機能としては、図６に示すように、リモコン制御モジュール３の省電力機能を管理する省電力管理部３１、キーマトリックス４を通じてのキー操作入力に基づいて各キーに割り当てられた制御データないしは制御コマンドを出力するキー制御部３２、前記音声認識モジュール２の制御データ転送部２６から送られてきた制御データを受け取る制御データ受信部３３、キー制御部３２や制御データ受信部３３からの制御データを制御対象のリモコン制御のための制御コードに変換するリモコンコード生成部３４、リモコンコード生成部３４で生成されたリモコンコードを赤外線ＬＥＤ８を通じて制御対象の受信部に赤外線伝送するリモコン通信部３５が挙げられる。
【００２９】
このリモコン制御モジュール３にはさらに音声認識起動信号転送部３６が備えられているが、これはキーマトリックス４の１つのキーである音声認識キー４６が押し下げられたことをキー制御部３２が検知することによって与えられる制御コマンドに基づいて音声認識モジュール２の反転ＣＥポートに音声認識アクティブ化信号を出力する。この音声認識アクティブ化信号とは、図３に示されるように、約３０秒間だけ反転ＣＥポートを低レベルにする信号であり、休止モードの音声認識モジュール２を音声認識動作可能な動作モードに復帰させるものである。
【００３０】
上述したように、本発明による音声認識リモコン１では、音声認識モジュール２とリモコン制御モジュール３がそれぞれ独立した省電力対策を施されている。このリモコン１を音声認識モードで使用する際の典型的な省電力管理の様子を図７に示すフローチャートを用いて説明する。
【００３１】
ここでは、まず、音声認識モジュール２は、音声認識動作切替スイッチ９の操作により設定される休止モード（＃０１）又は動作モード（＃０２）のいずれかのモードで待機している。休止モードにおいて音声認識キー４６が操作されると（＃１０でＹＥＳ　分岐）、音声認識起動信号転送部３６が音声認識モジュール２に音声認識アクティブ化信号を送る（＃１２）。これにより音声認識モジュール２は動作モードとなり、音声認識可能な状態となる（＃１４）。ただし、マイク８に音声が入らない限り、この音声認識モジュール２は入力音声信号を低サンプリングレートで処理する低動作モードを維持している。この状態は動作モードで待機している（＃０２）音声認識モジュール２でも同じである。
【００３２】
この低動作モードではマイク８を通じて音声入力部２２に入力された音声入力信号の変化がチェックされている（＃２０）。この音声入力信号の変化が所定レベルを超えると（＃２０でＹＥＳ　分岐）、高動作モードに切り替わり、入力した音声信号は音声入力部２２において高いサンプリングレートで処理される（＃２２）。続いて、音声入力部２２で処理された音声信号と登録音声パターン格納部２３に記憶されている音声パターンとの照合が行われる（＃２４）。音声パターンが合致すると（＃２６でＹＥＳ　分岐）音声認識が完了したとして、認識報知信号が生成される。この認識報知信号は、一方ではリモコン制御モジュール３を省電力モードから復帰させるウエイクアップ信号としてリモコン制御モジュール３に送られ（＃２８）、他方では音声認識状態表示ＬＥＤ７に送られてこのＬＥＤ７を点灯させる（＃３０）。さらに、音声認識が完了した入力音声のユーザ確認のために、認識音声又はこれを表現する別な音声をスピーカ６を通じて出力する（＃３２）。ステップ＃２８でリモコン制御モジュール３にウエイクアップ信号が送られることにより、リモコン制御モジュール３の制御データ受信部３３は制御データの受け入れ許可状態となるので、音声認識された音声パターンに対応する制御データが制御データ転送部２６を通じてリモコン制御モジュール３に送られる（＃３４）。
リモコン制御モジュール３に送られた制御コードはキーマトリックス４を通じて入力されるキー入力の処理と同様にリモコン生成部３４でリモコンコードに変換され（＃３６）、赤外線ＬＥＤ８を通じて制御対象に送信する（＃３８）。リモコンコードの送信が完了すると、再びリモコン制御モジュールは省電力モードに復帰するとともに、音声認識モジュール２も音声認識動作切替スイッチ９の操作により設定されたモード、休止モード又は動作モードでの待機状態となる。
【００３３】
動作モード及び休止モードにおいて音声認識モジュール２における音声認識率を向上させるために、本発明では、次のような方策がさらに提案されている。
そのひとつは、動作モードにおいて、音声認識のスタートワードとして特定の言葉を定義しておき、その言葉の発生音だけは特別に高い確度で認識できるように音声照合部２４を構成する。全ての言葉を正確に認識するような手法が近年開発されているが、いずれも複雑で高速な電子回路を必要とし、そのことはリモコンへの採用を不可能にするコスト高を導くだけではなく、電池駆動を不可能とする消費電力の増大も導く。しかしながら、単一の言葉を高い確度で認識するだけならばそのようなコストや消費電力の増加はともなわない。従って、特定の言葉、この実施形態では「リモコン」という言葉を認識した場合、この言葉に続いて音声によるリモコン操作が入力されると判断できるので、そのタイミングで音声照合部２４が音声入力部２２で処理された音声信号のパターンマッチングを行う。これにより、スタートワード（「リモコン」）以降に入力される音声信号、つまりリモコン操作音声信号の認識率が向上する。
【００３４】
他のひとつは、特に休止モードにおける認識率の向上に関するものである。周囲の雑音とリモコン操作のための音声信号とのＳ／Ｎ比を向上させる必要があるが、これを最も簡単に実現しようとすると、ユーザによるリモコン操作音声信号の音量レベルを上げること、つまり大きな声で発音してもらうか、あるいはマイクに近づいて発音してもらうことになる。このため、休止モードにおいては、音声入力部２２における入力音量の可変スレッシホルドレベルを高めに設定しておき、大きな音量をもつ入力音声信号だけが音声認識処理を受けるように構成すると好都合である。つまり、小さな声では音声認識が開始されないことをユーザに理解してもらうことで、大きな声での音声によるリモコン操作を促し、結果的に高いＳ／Ｎ比を実現し、騒々しい環境下においていたずらに誤認識を繰り返すという問題を解決することができるのである。
【００３５】
上述した実施形態の説明では、この音声認識リモコン１はビデオやテレビのためのリモコン操作として用いられる例を取り上げたが、もちろん、他の家電商品だけではなく電子玩具やその他の電子機器のリモコンとしても適用可能である。また、リモコンコードを制御対象に送信する伝送方式としては、赤外線通信に限らず、電波を用いた通信プロトコルを利用したものを採用してもよい。
【図面の簡単な説明】
【図１】本発明の一例としての音声認識リモコンの外観図
【図２】図１による音声認識リモコンの機能ブロック図
【図３】音声認識アクティブ化信号のタイムチャート図
【図４】ウエイクアップ信号のタイムチャート図
【図５】音声認識モジュールの機能ブロック図
【図６】リモコン制御モジュールの機能ブロック図
【図７】省電力管理の様子を示すフローチャート図
【符号の説明】
１　音声認識リモコン
２　音声認識モジュール
３　リモコン制御モジュール
４　キーマトリックス
５　マイク
６　スピーカ
７　音声認識状態表示ＬＥＤ
８　赤外線ＬＥＤ
９　音声認識動作切替スイッチ
４６　音声認識キー
【図１】
2004096520.tif 000003
【図２】
2004096520.tif 000004
【図３】
2004096520.tif 000005
【図４】
2004096520.tif 000006
【図５】
2004096520.tif 000007
【図６】
2004096520.tif 000008
【図７】
2004096520.tif 000009